(57)【特許請求の範囲】
【請求項１】
原稿から原稿画像を読み取る原稿反転式画像読み取り装置と、
印刷媒体の第１面側に配設された第１印刷ドラム、及び、この第１印刷ドラムに着版される孔版原紙に対して、前記原稿反転式画像読み取り装置で読み取られた原稿画像に対応した穿孔画像を形成する第１サーマルヘッドを有する第１製版・印刷部と、
印刷媒体の第２面側に配設された第２印刷ドラム、及び、この第２印刷ドラムに着版される孔版原紙に対して、前記原稿反転式画像読み取り装置で読み取られた原稿画像に対応した穿孔画像を形成する第２サーマルヘッドを有する第２製版・印刷部と、
少なくとも、印刷モードの指定及び印刷後の後処理工程の有無の指定を入力する操作入力手段と、
前記操作入力手段により入力された印刷モードの指定及び印刷後の後処理工程の有無の指定に応じて、前記原稿反転式画像読み取り装置の動作を制御すると共に、前記第１製版・印刷部及び第２製版・印刷部における製版処理動作を制御する制御手段とを備え、
前記操作入力手段により両面原稿両面印刷モードの指定及び印刷後の後処理工程有りの指定が入力されたときは、前記制御手段が、前記原稿反転式画像読み取り装置による両面原稿第１面の原稿画像の読み取りと、前記第１製版・印刷部による両面原稿第１面の原稿画像に応じた製版処理とを同時に行わせた後、前記原稿反転式画像読み取り装置による両面原稿第２面の原稿画像の読み取りを行わせ、この原稿反転式画像読み取り装置により読み取られた両面原稿第２面の原稿画像を座標変換処理した原稿画像に応じた製版処理を行わせ、
前記操作入力手段により両面原稿両面印刷モードの指定及び印刷後の後処理工程無しの指定が入力されたときは、前記制御手段が、前記原稿反転式画像読み取り装置による両面原稿第１面の原稿画像の読み取りを行わせ、この原稿反転式画像読み取り装置により読み取られた両面原稿第１面の原稿画像を座標変換処理した原稿画像に応じた製版処理を行わせると共に、この第１製版・印刷部による両面原稿第１面の原稿画像に応じた製版処理と並行して、前記原稿反転式画像読み取り装置による両面原稿第２面の原稿画像の読み取りと、前記第２製版・印刷部による両面原稿第２面の原稿画像に応じた製版処理とを同時に行わせること
を特徴とする両面孔版印刷機。
【請求項２】
前記操作入力手段により両面原稿片面印刷モードの指定が入力されたときは、前記制御手段が、前記原稿反転式画像読み取り装置による両面原稿第１面の原稿画像の読み取りと、前記第１製版・印刷部による両面原稿第１面の原稿画像に応じた製版処理とを同時に行わせた後、前記原稿反転式画像読み取り装置による両面原稿第２面の原稿画像の読み取りを行わせ、この原稿反転式画像読み取り装置により読み取られた両面原稿第２面の原稿画像を座標変換処理した原稿画像に応じた製版処理を行わせ、
前記操作入力手段により片面原稿両面印刷モードの指定が入力されたときは、前記制御手段が、前記原稿反転式画像読み取り装置による１枚目の片面原稿の原稿画像の読み取りと、前記第１製版・印刷部による１枚目の片面原稿の原稿画像に応じた製版処理とを同時に行わせた後、前記原稿反転式画像読み取り装置による２枚目の片面原稿の原稿画像の読み取りと、前記第２製版・印刷部による２枚目の片面原稿の原稿画像に応じた製版処理とを同時に行わせること
を特徴とする請求項１に記載の両面孔版印刷機。
【請求項３】
前記操作入力手段は、当該両面孔版印刷機の筐体に取り付けられた操作パネルよりなること
を特徴とする請求項１又は２に記載の両面孔版印刷機。
【発明の詳細な説明】
【０００１】
【発明の属する技術分野】
本発明は、穿孔画像が形成された孔版原紙を印刷ドラムに着版し、印刷ドラムの内部から供給されるインクを孔版原紙の穿孔画像を介して印刷媒体に転写させることで印刷を行う孔版印刷機に関し、特に、印刷媒体の第１面及び第２面双方への印刷を行う両面印刷に対応した両面孔版印刷機に関するものである。
【０００２】
【従来の技術】
穿孔画像が形成された孔版原紙を印刷ドラムに着版し、印刷ドラムの内部から供給されるインクを孔版原紙の穿孔画像を介して印刷媒体に転写させることで印刷を行う孔版印刷機は、多数部の印刷を短時間で効率的に行えることから、特に、大規模オフィスや学校等のように同一原稿を多数部まとめて印刷することが多い環境において広く普及している。
【０００３】
このような孔版印刷機においては、近年、印刷媒体の第１面と第２面の双方に印刷を行う両面印刷に対応可能なものとして、印刷媒体の第１面側と第２面側とにそれぞれ印刷ドラムを配設した、いわゆる２ドラムタイプの両面孔版印刷機が提案されている。この２ドラムタイプの両面孔版印刷機では、各印刷ドラムの印刷実行位置に印刷媒体を通過させたときに、一方の印刷ドラムにより印刷媒体の第１面が印刷され、他方の印刷ドラムにより印刷媒体の第２面が印刷されるので、印刷媒体を印刷実行位置に１度通過させるだけで両面印刷が完了することになり、極めて短時間で効率的な両面印刷を行うことができる。
【０００４】
ところで、以上のような両面孔版印刷機では、原稿から原稿画像を読み取る手段として、図１６に示すような原稿反転式画像読み取り装置１００を備えているものが一般的である。この原稿反転式画像読み取り装置１００は、自動原稿送り機構１０１と原稿画像読み取り機構１０２とが組み合わされて構成されたものであり、原稿受け台１０３にセットされた原稿が、図１６中矢印Ａ方向に自動搬送されて、第１面が下向きで原稿画像読み取り機構１０２の読み取り位置に位置決めされ、読み取りヘッド１０４が図１６中矢印Ｂ方向に走査されることによって、原稿の第１面から原稿画像が読み取られるようになっている。
【０００５】
また、原稿が両面原稿の場合には、第１面の読み取りが終了した原稿は、自動原稿送り機構１０１によって図１６中矢印Ｃ方向に自動反転されて、第２面が下向きで原稿画像読み取り機構１０２の読み取り位置に位置決めされ、読み取りヘッド１０４が第１面の読み取り時と同一方向に走査されることによって、原稿の第２面から原稿画像が読み取られるようになっている。
【０００６】
両面孔版印刷機では、以上のような原稿反転式画像読み取り装置１００によって読み取られた原稿画像の画像データに基づきサーマルヘッドを駆動して、孔版原紙に原稿画像に対応した穿孔画像を形成（製版）し、この製版された孔版原紙を印刷ドラムに着版するようにしている。そして、印刷媒体が各印刷ドラムの印刷実行位置を通過するときに、この印刷ドラムの内部から供給されるインクを孔版原紙の穿孔を介して印刷媒体の第１面に転写することによって、原稿画像を印刷媒体に印刷するようにしている。
【０００７】
以上のような原稿反転式画像読み取り装置１００を備えた両面孔版印刷機で、両面原稿の第１面の原稿画像を印刷媒体の第１面に印刷し、両面原稿の第２面の原稿画像を印刷媒体の第２面に印刷（両面原稿両面印刷）する場合、原稿反転式画像読み取り装置１００による原稿の自動反転によって、第１面の読み取り時における原稿の天地方向と、第２面の読み取り時における天地方向とが逆向きになる。すなわち、原稿受け台１０３に両面原稿の天側を先頭にしてセットしたとすると、第１面の読み取り時においては、第１面の原稿画像が天側から順に読み取りヘッド１０４によって読み取られるのに対して、第２面の読み取り時においては、第２面の原稿画像が地側から順に読み取りヘッド１０４によって読み取られることになる。
【０００８】
このため、これまでの原稿反転式画像読み取り装置１００を備えた両面孔版印刷機では、例えば特開平１０−１６６５４４号公報にて開示されるように、読み取られた両面原稿の何れか一方の原稿画像の画像データをページメモリを使用して１８０度座標変換することによって、印刷媒体の第１面に印刷される印刷画像の天地方向と、印刷媒体の第２面に印刷される印刷画像の天地方向とを一致させるようにしているのが一般的である。
【０００９】
ところで、以上のような２ドラムタイプの両面孔版印刷機で両面印刷を行う場合、一方の印刷ドラムに着版する孔版原紙と他方の印刷ドラムに着版する孔版原紙との双方に対する製版処理が必要とされることから、実際に印刷を開始するまでの準備工程に要する時間（ファーストプリント時間）が長時間化する傾向にある。このため、製版処理を如何に効率的に行ってファーストプリント時間を短縮するかが、２ドラムタイプの両面孔版印刷機で短時間での両面印刷を実現する上での重要な課題とされている。
【００１０】
２ドラムタイプの両面孔版印刷機でファーストプリント時間を短縮する技術としては、例えば、特開平１０−８６４９８号公報にて開示されたものがある。この特開平１０−８６４９８号公報にて開示される技術は、原稿反転式画像読み取り装置で最初に読み取られた原稿画像の画像データをページメモリに一旦記憶させ、この最初に読み取られた画像データに基づく製版処理と並行して、次の画像データを原稿反転式画像読み取り装置で読み取りながら、読み取った画像データに基づく製版処理を同時に行うようにしたものである。そして、両面原稿両面印刷を行う場合には、原稿反転式画像読み取り装置で最初に読み込まれた両面原稿第１面の画像データをページメモリを使用して１８０度座標変換処理を行うことで、印刷媒体の第１面に印刷される印刷画像の天地方向と、印刷媒体の第２面に印刷される印刷画像の天地方向とを一致させるようにしている。
【００１１】
以上のように、最初に読み込まれた画像データに基づく製版処理と、次に読み込まれた画像データに基づく製版処理とを並行して行うようにすれば、ファーストプリント時間を大幅に短縮することが可能となる。
【００１２】
【発明が解決しようとする課題】
しかしながら、特開平１０−８６４９８号公報にて開示されるように、原稿反転式画像読み取り装置で最初に読み込まれた両面原稿第１面の画像データをページメモリを使用して１８０度座標変換処理を行って両面原稿両面印刷を行うようにした場合、印刷媒体の第１面に印刷される印刷画像の天地方向と、印刷媒体の第２面に印刷される印刷画像の天地方向とは一致するものの、印刷終了した印刷媒体が、片面原稿の原稿画像が印刷された印刷媒体とは逆向きに排出されることになる。
【００１３】
したがって、両面原稿と片面原稿とが混在している場合には、これらの原稿の原稿画像が印刷された各印刷物は、原稿の種類に応じて排出される天地方向が異なることになり、ステープル処理等のような印刷後の後処理が必要とされる場合には、原稿反転式画像読み取り装置に原稿をセットする天地方向を原稿の種類に応じて変更したり、或いは、排出された印刷物の天地方向を揃えたりといった作業をユーザに強いることになる。このため、ユーザに煩わしさを感じさせるばかりか、ユーザによる作業が介在することで後処理を含むトータルでの処理時間が却って長時間化してしまい、ファーストプリント時間短縮の優位性が損なわれる場合がある。
【００１４】
本発明は、以上のような従来の実情に鑑みて創案されたものであって、両面原稿両面印刷モード等の印刷モードや印刷後の後処理の有り無しに応じて、原稿画像の読み取りから製版処理に至る一連の手順を自動的に切り換えるようにして、トータル処理時間の短縮を実現するようにした両面孔版印刷機を提供することを目的としている。
【００１５】
【課題を解決するための手段】
請求項１に記載の発明は、原稿から原稿画像を読み取る原稿反転式画像読み取り装置と、印刷媒体の第１面側に配設された第１印刷ドラム、及び、この第１印刷ドラムに着版される孔版原紙に対して、前記原稿反転式画像読み取り装置で読み取られた原稿画像に対応した穿孔画像を形成する第１サーマルヘッドを有する第１製版・印刷部と、印刷媒体の第２面側に配設された第２印刷ドラム、及び、この第２印刷ドラムに着版される孔版原紙に対して、前記原稿反転式画像読み取り装置で読み取られた原稿画像に対応した穿孔画像を形成する第２サーマルヘッドを有する第２製版・印刷部と、少なくとも、印刷モードの指定及び印刷後の後処理工程の有無の指定を入力する操作入力手段と、前記操作入力手段により入力された印刷モードの指定及び印刷後の後処理工程の有無の指定に応じて、前記原稿反転式画像読み取り装置の動作を制御すると共に、前記第１製版・印刷部及び第２製版・印刷部における製版処理動作を制御する制御手段とを備え、前記操作入力手段により両面原稿両面印刷モードの指定及び印刷後の後処理工程有りの指定が入力されたときは、前記制御手段が、前記原稿反転式画像読み取り装置による両面原稿第１面の原稿画像の読み取りと、前記第１製版・印刷部による両面原稿第１面の原稿画像に応じた製版処理とを同時に行わせた後、前記原稿反転式画像読み取り装置による両面原稿第２面の原稿画像の読み取りを行わせ、この原稿反転式画像読み取り装置により読み取られた両面原稿第２面の原稿画像を座標変換処理した原稿画像に応じた製版処理を行わせ、前記操作入力手段により両面原稿両面印刷モードの指定及び印刷後の後処理工程無しの指定が入力されたときは、前記制御手段が、前記原稿反転式画像読み取り装置による両面原稿第１面の原稿画像の読み取りを行わせ、この原稿反転式画像読み取り装置により読み取られた両面原稿第１面の原稿画像を座標変換処理した原稿画像に応じた製版処理を行わせると共に、この第１製版・印刷部による両面原稿第１面の原稿画像に応じた製版処理と並行して、前記原稿反転式画像読み取り装置による両面原稿第２面の原稿画像の読み取りと、前記第２製版・印刷部による両面原稿第２面の原稿画像に応じた製版処理とを同時に行わせることを特徴とするものである。
【００１６】
また、請求項２に記載の発明は、請求項１に記載の両面孔版印刷機において、前記操作入力手段により両面原稿片面印刷モードの指定が入力されたときは、前記制御手段が、前記原稿反転式画像読み取り装置による両面原稿第１面の原稿画像の読み取りと、前記第１製版・印刷部による両面原稿第１面の原稿画像に応じた製版処理とを同時に行わせた後、前記原稿反転式画像読み取り装置による両面原稿第２面の原稿画像の読み取りを行わせ、この原稿反転式画像読み取り装置により読み取られた両面原稿第２面の原稿画像を座標変換処理した原稿画像に応じた製版処理を行わせ、前記操作入力手段により片面原稿両面印刷モードの指定が入力されたときは、前記制御手段が、前記原稿反転式画像読み取り装置による１枚目の片面原稿の原稿画像の読み取りと、前記第１製版・印刷部による１枚目の片面原稿の原稿画像に応じた製版処理とを同時に行わせた後、前記原稿反転式画像読み取り装置による２枚目の片面原稿の原稿画像の読み取りと、前記第２製版・印刷部による２枚目の片面原稿の原稿画像に応じた製版処理とを同時に行わせることを特徴とするものである。
【００１７】
また、請求項３に記載の発明は、請求項１又は２に記載の両面孔版印刷機において、前記操作入力手段が、当該両面孔版印刷機の筐体に取り付けられた操作パネルよりなることを特徴とするものである。
【００１８】
【発明の実施の形態】
以下、本発明の実施の形態を図面を参照しながら詳細に説明する。
【００１９】
本発明を適用した両面孔版印刷機の機構的な要部構成を図１に示し、制御系の要部構成を図２に示す。この図１及び図２に示す両面孔版印刷機１は、図１中白抜きの矢印で示す媒体搬送経路に沿って筐体２の内部を搬送される印刷媒体の第１面側に配設された第１製版・印刷部１０と、前記印刷媒体の第２面側に配設された第２製版・印刷部２０とを備えている。
【００２０】
また、この両面孔版印刷機１には、筐体２の上側に、原稿の原稿画像を読み取るための原稿反転式画像読み取り装置３が設けられていると共に、ユーザからの指定を入力する操作入力手段としての操作パネル４が取り付けられている。また、この両面孔版印刷機１の筐体２には、前記印刷媒体を保持する給紙トレイ５と、印刷済みの印刷媒体を保持する排紙トレイ６とがそれぞれ設けられている。そして、この両面孔版印刷機１では、第１製版・印刷部１０や第２製版・印刷部２０、原稿反転式画像読み取り装置３等の各部の動作が、制御装置３０によって制御されるようになっている。
【００２１】
第１製版・印刷部１０は、円筒状に形成されて印刷媒体の第１面側に回転可能に支持された第１印刷ドラム１１を有している。この第１印刷ドラム１１は、図２に示す印刷制御部３５による制御のもとで、図１中矢印Ａ方向に所定の速度で回転駆動されるようになっている。この第１印刷ドラム１１の外周面は、インク透過性に優れ且つ剛性の高い材料より構成されており、この外周面に、原稿の原稿画像に対応した穿孔画像が形成された孔版原紙（以下、穿孔画像が形成された孔版原紙を特に「製版マスタ」と称す。）が、その端部をクランパ１１ａに係止されることで着版されるようになっている。また、これら第１印刷ドラム１１の内部には図示しないインク供給機構が設けられており、このインク供給機構から、着版された製版マスタの外周面に所定量のインクが供給されるようになっている。
【００２２】
また、第１印刷ドラム１１と媒体搬送経路を挟んで対向する位置には、第１印刷ドラム１１の回転に同期して、この第１印刷ドラム１１に近接離間する方向に移動操作される第１プレスロール１２が回転可能に配設されている。そして、媒体搬送経路に沿って搬送される前記印刷媒体が第１印刷ドラム１１と第１プレスロール１２との間の搬送経路を通過する際に、これら第１印刷ドラム１１と第１プレスロール１２とで前記印刷媒体を押圧し、第１印刷ドラム１１に着版された製版マスタを介して前記印刷媒体の第１面にインクを付着させて、前記印刷媒体の第１面に印刷画像を印刷するようになっている。
【００２３】
また、第１製版・印刷部１０は、孔版原紙１６に穿孔画像を形成（製版）するための第１サーマルヘッド１３及び第１プラテンローラ１４と、第１印刷ドラム１１に着版される製版マスタを第１印刷ドラム１１側へと送出させるための第１ロードローラ１５とを有している。
【００２４】
孔版原紙１６は、ロール状で筐体２の内部に格納されており、第１ロードローラ１５によって第１印刷ドラム１１側へと送出されるようになっている。そして、第１ロードローラ１５によって送出された孔版原紙１６を挟んで相対向する位置に、第１サーマルヘッド１３と第１プラテンローラ１４とがそれぞれ配設されている。
【００２５】
第１サーマルヘッド１３は、図２に示す製版制御部３４による制御のもとで駆動されるようになっており、第１ロードローラ１５によって送出される孔版原紙１６に対して、原稿反転式画像読み取り装置３により読み取られた原稿の画像データに対応した製版マスタを製版する。このとき、第１サーマルヘッド１３は、孔版原紙１６を第１プラテンローラ１４側に押圧した状態で、製版マスタを製版する。
【００２６】
第１ロードローラ１５は、一対のローラで孔版原紙１６をニップするようになっており、これら一対のローラのうちの一方が図示しないモータにより回転駆動されることで、孔版原紙１６を送出する。
【００２７】
第２製版・印刷部２０は、第１製版・印刷部１０と同様の構成とされており、円筒状に形成されて前記印刷媒体の第２面側に回転可能に支持された第２印刷ドラム２１を有している。この第２印刷ドラム２１は、図２に示す印刷制御部３５による制御のもとで、図１中矢印Ｂ方向に、第１印刷ドラム１１と略等しい速度で回転駆動されるようになっている。この第２印刷ドラム２１の外周面は、インク透過性に優れ且つ剛性の高い材料より構成されており、この外周面に、製版マスタがその端部をクランパ２１ａに係止されることで着版されるようになっている。また、これら第２印刷ドラム２１の内部には図示しないインク供給機構が設けられており、このインク供給機構から、着版された製版マスタの外周面に所定量のインクが供給されるようになっている。
【００２８】
また、第２印刷ドラム２１と媒体搬送経路を挟んで対向する位置には、第２印刷ドラム２１の回転に同期して、この第２印刷ドラム２１に近接離間する方向に移動操作される第２プレスロール２２が回転可能に配設されている。そして、媒体搬送経路に沿って搬送される前記印刷媒体が第２印刷ドラム２１と第２プレスロール２２との間の搬送経路を通過する際に、これら第２印刷ドラム２１と第２プレスロール２２とで前記印刷媒体を押圧し、第２印刷ドラム２１に着版された製版マスタを介して前記印刷媒体の第２面にインクを付着させて、前記印刷媒体の第２面に印刷画像を印刷するようになっている。
【００２９】
また、第２製版・印刷部２０は、第１製版・印刷部１０と同様に、孔版原紙２６に穿孔画像を形成（製版）するための第２サーマルヘッド２３及び第２プラテンローラ２４と、第２印刷ドラム２１に着版される製版マスタを第２印刷ドラム２１側へと送出させるための第２ロードローラ２５とを有している。
【００３０】
孔版原紙２６は、ロール状で筐体２の内部に格納されており、第２ロードローラ２５によって第２印刷ドラム２１側へと送出されるようになっている。そして、第２ロードローラ２５によって送出された孔版原紙２６を挟んで相対向する位置に、第２サーマルヘッド２３と第２プラテンローラ２４とがそれぞれ配設されている。
【００３１】
第２サーマルヘッド２３は、図２に示す製版制御部３４による制御のもとで駆動されるようになっており、第２ロードローラ２５によって送出される孔版原紙２６に対して、原稿反転式画像読み取り装置３により読み取られた原稿の画像データに対応した製版マスタを製版する。このとき、第２サーマルヘッド２３は、孔版原紙２６を第１プラテンローラ２４側に押圧した状態で、製版マスタを製版する。
【００３２】
第２ロードローラ２５は、一対のローラで孔版原紙２６をニップするようになっており、これら一対のローラのうちの一方が図示しないモータにより回転駆動されることで、孔版原紙２６を送出する。
【００３３】
原稿反転式画像読み取り装置３は、図２に示す読み取り制御部３２による制御のもとで、原稿受け台にセットされた原稿を自動送りすることによって、この原稿を所定の位置に固定された読み取りヘッドの読み取り部上に順次通過させ、この読み取りヘッドの読み取り部上を通過した順に、原稿から原稿画像を順次読み取るようになっている。また、原稿が両面原稿の場合には、第１面の読み取りが終了した原稿を自動反転させて、天地逆向きに自動送りして読み取りヘッドの読み取り部上に通過させ、両面原稿第２面の原稿画像を第１面の原稿画像とは逆方向に順次読み取るようになっている。
【００３４】
操作パネル４は、例えば図３に示すように、製版スタートスイッチ、印刷スタートスイッチ、ストップスイッチのような専用スイッチ４ａやテンキー４ｂを有しており、これら専用スイッチ４ａやテンキー４ｂがユーザにより押下操作されたときに、このユーザからの指令に応じた信号を制御装置３０に供給するようになっている。
【００３５】
また、この操作パネル４には、表示部としての機能と入力部としての機能とを併せ持つタッチパネル４ｃが設けられており、このタッチパネル４ｃに、原稿種類を指定するための「両面原稿」ボタンや「片面原稿」ボタン、印刷形式を指定するための「両面印刷」ボタンや「片面印刷」ボタン、印刷後の後処理工程の有無を指定するための「後処理有」ボタン等が表示されるようになっている。そして、原稿種類を指定するためのボタンと印刷形式を指定するためのボタンとがユーザにより押圧されることで印刷モードが特定され、それに応じた信号が制御装置３０に供給されるようになっている。ここで印刷モードとは、両面原稿両面印刷モードや片面原稿両面印刷モード等のように、原稿の種類と印刷形式とによって決定されるモードをいう。また、「後処理有」ボタンがユーザにより押圧された場合には、後処理有の信号が制御装置３０に供給されるようになっている。
【００３６】
制御装置３０は、本発明を適用した両面孔版印刷機１における全体の動作を制御するものであり、図２に示すように、操作入力制御部３１としての機能と、読み取り制御部３２としての機能と、データ処理部３３としての機能と、製版制御部３４としての機能と、印刷制御部３５としての機能とをそれぞれ有している。
【００３７】
操作入力制御部３１は、ユーザによる操作パネル４からの指定に応じて両面孔版印刷機１の処理手順を決定するものである。具体的には、操作入力制御部３１は、例えば、操作パネル４を使用したユーザにより指定された印刷モードや、印刷後の後処理の指定に応じて、原稿反転式画像読み取り装置３による原稿画像の読み取り手順や、第１製版・印刷部１０及び第２製版・印刷部２０における製版処理手順を制御する。
【００３８】
読み取り制御部３２は、操作入力制御部３１によって決定された処理手順に応じて、原稿反転式画像読み取り装置３による原稿画像の読み取り動作を制御するものである。
【００３９】
データ処理部３３は、原稿反転式画像読み取り装置３によって読み取られた原稿画像の画像データを処理するものである。このデータ処理部３３は、原稿反転式画像読み取り装置３により読み取られた原稿画像の画像データを操作入力制御部３１の制御に応じてページメモリに一時的に格納する、画像データを１８０度座標変換する等の処理を行う。
【００４０】
製版制御部３４は、操作入力制御部３１による制御手順に応じて、データ処理部３３により処理された画像データに基づいて第１製版・印刷部１０の第１サーマルヘッド１３を駆動して、孔版原紙１６に対して原稿画像に対応した穿孔画像を形成（製版）させると共に、データ処理部３３により処理された画像データに基づいて、第２製版・印刷部２０の第２サーマルヘッド２３を駆動して、孔版原紙２６に対して原稿画像に対応した穿孔画像を形成（製版）させるものである。
【００４１】
印刷制御部３５は、製版マスタが着版された第１製版・印刷部１０の第１印刷ドラム１１の回転制御及びプレスロール１２の制御、製版マスタが着版された第２製版・印刷部２０の第２印刷ドラム２１の回転制御及びプレスロール２２の制御等に加え、印刷媒体の給排紙制御を行って、印刷画像を印刷媒体に印刷させるものである。
【００４２】
以上のように構成される両面孔版印刷機１では、操作パネル４から入力されたユーザによる印刷モードの指定及び後処理工程の有無の指定に応じて、操作入力制御部３１により、図４に示す５通りの処理手順（処理手順１〜５）のうちの何れか１つが選択され、この選択された処理手順に応じて、読み取り制御部３２により原稿反転式画像読み取り装置３による原稿画像の読み取り動作が制御されると共に、データ処理部３３により画像データ処理が行われ、製版制御部３４により第１サーマルヘッド１３及び第２サーマルヘッド２３の駆動制御が行われるようになっている。
【００４３】
すなわち、タッチパネル４ｃに表示された「両面原稿」ボタンと「両面印刷」ボタン、「後処理有」ボタンとがユーザにより押圧されたときは、操作入力制御部３１が、処理手順１を選択する。また、タッチパネル４ｃに表示された「両面原稿」ボタンと「両面印刷」ボタンとがユーザにより押圧されて、「後処理有」ボタンの押圧がなされない場合には、操作入力制御部３１が、処理手順２を選択する。
【００４４】
また、タッチパネル４ｃに表示された「両面原稿」ボタンと「片面印刷」ボタンとがユーザにより押圧されたときは、操作入力制御部３１が、処理手順３を選択する。また、タッチパネル４ｃに表示された「片面原稿」ボタンと「両面印刷」ボタンとがユーザにより押圧されたときは、操作入力制御部３１が、処理手順４を選択する。また、タッチパネル４ｃに表示された「片面原稿」ボタンと「片面印刷」ボタンとがユーザにより押圧されたときは、操作入力制御部３１が、処理手順５を選択する。
【００４５】
ここで、以上の処理手順１〜５における処理の流れについて個別に説明する。
【００４６】
処理手順１は、上述したように、ユーザにより両面原稿両面印刷モードの指定と後処理を行う指定とがなされた場合に選択されるものである。この処理手順１では、図５のフローチャートで示すように、まず、ステップＳ１−１において、読み取り制御部３２による制御のもとで原稿反転式画像読み取り装置３が動作され、両面原稿第１面の原稿画像が読み取られる。そして、ステップＳ１−２において、製版制御部３４による制御のもとで、原稿反転式画像読み取り装置３により読み取られた前記両面原稿第１面の画像データに基づき第１サーマルヘッド１３が駆動され、孔版原紙１６に、前記両面原稿第１面の画像データに対応した製版マスタが製版される。そして、製版マスタが第１印刷ドラム１１に着版される。
【００４７】
なお、このステップＳ１−２における製版処理は、ステップＳ１−１における前記両面原稿第１面の原稿画像の読み取りと同時に行われるようになっている。すなわち、原稿反転式画像読み取り装置３により読み取られた前記両面原稿第１面の画像データは、製版制御部３４に随時送られるようになっており、製版制御部３４が第１サーマルヘッド１３を随時駆動して、前記両面原稿第１面の原稿画像の読み取りと同時に製版処理が行われるようになっている。
【００４８】
次に、ステップＳ１−３において、読み取り制御部３２による制御のもとで、原稿反転式画像読み取り装置３による前記両面原稿の自動反転処理が行われる。次に、ステップＳ１−４において、原稿反転式画像読み取り装置３によって、前記両面原稿第２面の原稿画像が読み取られる。
【００４９】
原稿反転式画像読み取り装置３により読み取られた前記両面原稿第２面の原稿画像の画像データは、データ処理部３３に随時送られる。そして、ステップＳ１−５において、前記両面原稿第２面の画像データが、データ処理部３３に設けられたページメモリに一時的に格納される。
【００５０】
前記両面原稿第２面の原稿画像の読み取りが終了し、前記画像データが全てページメモリに格納されると、次に、ステップＳ１−６において、データ処理部３３により、前記画像データに対する１８０度座標変換処理が行われる。この１８０度座標変換処理は、原稿画像の天地方向が読み取り時と逆向きとなるように、画像データをページメモリへの書き込み時とは逆の順番でページメモリから読み出すものである。
【００５１】
１８０度座標変換処理された画像データは、製版制御部３４に送られる。そして、ステップＳ１−７において、製版制御部３４による制御のもとで、前記１８０度座標変換処理された画像データに基づき第２サーマルヘッド２３が駆動され、孔版原紙２６に、前記両面原稿第２面の原稿画像に対応した製版マスタが製版される。そして、製版マスタが第２印刷ドラム２１に着版される。
【００５２】
次に、ステップＳ１−８において、原稿反転式画像読み取り装置３で原稿画像の読み取りが終了した前記両面原稿が排出される。そして、ステップＳ１−９において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われ、前記両面原稿第１面の原稿画像と前記両面原稿第２面の原稿画像とが、前記印刷媒体の第１面及び第２面にそれぞれ印刷され、一連の処理が終了する。
【００５３】
以上のような処理手順１で両面原稿両面印刷を行った場合には、図６（ａ）及び図６（ｂ）に示すように、印刷媒体の第１面に印刷された印刷画像の天地方向と第２面に印刷された印刷画像の天地方向とが一致すると共に、後述する処理手順３〜５と同様、印刷済みの印刷媒体が天側を先頭に排出されることになる。したがって、ステープル処理等の後処理を行う場合に、ユーザが印刷物の天地方向を揃える作業が不要とされ、後処理を含めたトータル処理時間の短縮を図ることが可能となる。
【００５４】
処理手順２は、上述したように、ユーザにより両面原稿両面印刷モードの指定と後処理を行わない指定とがなされた場合に選択されるものである。この処理手順２では、図７のフローチャートで示すように、まず、ステップＳ２−１において、読み取り制御部３２による制御のもとで原稿反転式画像読み取り装置３が動作され、両面原稿第１面の原稿画像が読み取られる。
【００５５】
原稿反転式画像読み取り装置３により読み取られた前記両面原稿第１面の画像データは、データ処理部３３に随時送られる。そして、ステップＳ２−２において、前記両面原稿第１面の画像データが、データ処理部３３に設けられたページメモリに一時的に格納される。
【００５６】
前記両面原稿第１面の原稿画像の読み取りが終了し、前記画像データが全てページメモリに格納されると、次に、ステップＳ２−３において、データ処理部３３により、前記画像データに対する１８０度座標変換処理が行われ、製版制御部３４に送られる。そして、ステップＳ２−４において、製版制御部３４による制御のもとで、前記１８０度座標変換処理された画像データに基づき第１サーマルヘッド１３が駆動され、孔版原紙１６に、前記両面原稿第１面の原稿画像に対応した製版マスタが製版される。そして、製版マスタが第１印刷ドラム１１に着版される。
【００５７】
また、ステップＳ２−１における前記両面原稿第１面の原稿画像の読み取りが終了すると、ステップＳ２−５において、読み取り制御部３２による制御のもとで、原稿反転式画像読み取り装置３による前記両面原稿の自動反転処理が行われる。次に、ステップＳ２−６において、原稿反転式画像読み取り装置３によって、前記両面原稿第２面の原稿画像が読み取られる。そして、ステップＳ２−７において、製版制御部３４による制御のもとで、原稿反転式画像読み取り装置３により読み取られた前記両面原稿第２面の原稿画像の画像データに基づき第２サーマルヘッド２３が駆動され、孔版原紙２６に、前記画像データに対応した製版マスタが製版される。そして、製版マスタが第２印刷ドラム２１に着版される。
【００５８】
なお、このステップＳ２−７における製版処理は、ステップＳ２−６における両面原稿第２面の原稿画像の読み取りと同時に行われるようになっている。すなわち、原稿反転式画像読み取り装置３により読み取られた両面原稿第２面の画像データは、製版制御部３４に随時送られるようになっており、製版制御部３４が第２サーマルヘッド２３を随時駆動して、前記両面原稿第２面の原稿画像の読み取りと同時に製版処理が行われるようになっている。
【００５９】
また、ステップＳ２−６における両面原稿第２面の原稿画像の読み取りと、ステップＳ２−７における製版処理とは、ステップＳ２−４における両面原稿第１面の画像データに対応した製版処理と並行して行われるようになっている。すなわち、製版制御部３４は、原稿反転式画像読み取り装置３により最初に読み取られてページメモリに一時的に格納された両面原稿第１面の原稿画像の画像データに基づいて第１サーマルヘッド１３を駆動しながら、前記両面原稿の自動反転後、原稿反転式画像読み取り装置３により読み取られて随時送られてくる前記両面原稿第２面の画像データに基づいて第２サーマルヘッド２３を駆動するようになっている。そして、孔版原紙１６に前記両面原稿第１面の原稿画像に対応した穿孔画像を形成する製版処理と、孔版原紙２６に前記両面原稿第２面の原稿画像に対応した穿孔画像を形成する製版処理とが、並行して行われるようになっている。
【００６０】
次に、ステップＳ２−８において、原稿反転式画像読み取り装置３で両面の原稿画像の読み取りが終了した前記両面原稿が排出される。そして、ステップＳ２−９において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われ、前記両面原稿第１面の原稿画像と前記両面原稿第２面の原稿画像とが、前記印刷媒体の第１面及び第２面にそれぞれ印刷され、一連の処理が終了する。
【００６１】
以上のような処理手順２で両面原稿両面印刷を行った場合には、図８（ａ）及び図８（ｂ）に示すように、印刷媒体の第１面に印刷された印刷画像の天地方向と第２面に印刷された印刷画像の天地方向とは一致するが、処理手順１の場合や処理手順３〜５の場合と異なり、印刷済みの印刷媒体が地側を先頭に排出されることになる。しかしながら、この処理手順２は、印刷後の後処理無しが指定された場合に選択されるもので、印刷済みの印刷媒体が排出される天地方向が他の場合と異なっていても特に問題は生じない。
【００６２】
また、以上のような処理手順１、処理手順２で両面原稿を両面印刷した場合のファーストプリント時間を図９に示す。
【００６３】
処理手順１の場合、図９（ｂ）に示すように、両面原稿の第１面の読み取り時間をａ、前記両面原稿反転時間をｂ、第１面の製版時間をｆ、第１印刷ドラム１１への着版時間（実際には製版と同時に開始されているが、製版が終了してからの遅延時間で示す）をｇ、前記両面原稿反転後の第２面の読み取り時間をａ、ページメモリ書き込み時間（実際には読み取り開始と同時に順次書き込みをしているので、読み取りが終了してからの遅延時間で示す）をｃ、座標変換時間をｄ、ページメモリ読み出し時間（実際にはデータ読み出し開始から第２面製版開始までの遅延時間で示す）をｅ、第２面の製版時間をｆ、第２印刷ドラム２１への着版時間（第１面と同じ）をｇとすると、ファーストプリント時間は、２ａ＋ｂ＋ｃ＋ｄ＋ｅ＋ｆ＋ｇとなる。
【００６４】
一方、処理手順２の場合、図９（ａ）に示すように、両面原稿第１面の読み取り時間をａ、前記両面原稿反転時間をｂ、ページメモリ書き込み時間（処理手順１と同様）をｃ、座標変換時間をｄ、ページメモリ読み出し時間（処理手順１と同様）をｅ、第１面の製版時間をｆ、第１印刷ドラム１１への着版時間（処理手順１と同様）をｇ、前記両面原稿反転後の第２面の読み取り時間をａ、第２面の製版時間をｆ、第２印刷ドラム２１への着版時間（第１面と同じ）をｇとすると、ファーストプリント時間は、ａ＋ｂ＋ｆ＋ｇ又はａ＋ｃ＋ｄ＋ｅ＋ｆ＋ｇとなる。したがって、処理手順２では、処理手順１に比べてａ＋ｂ又はａ＋ｃ＋ｄ＋ｅ分だけファーストプリント時間が短縮されることになる。
【００６５】
すなわち、処理手順２で両面原稿両面印刷を行った場合には、原稿反転式画像読み取り装置３で最初に読み取られた両面原稿第１面の画像データがページメモリに一時的に格納され、前記画像データに基づく製版処理と、前記両面原稿の自動反転後に原稿反転式画像読み取り装置３により読み取られた前記両面原稿第２面の画像データに基づく製版処理とが並行して行われるので、処理手順１で両面原稿両面印刷を行った場合のように、両面原稿第１面の画像データに基づく製版処理と、前記両面原稿第２面の画像データに基づく製版処理とを時系列的に行った場合に比べて、原稿画像の読み取りから製版マスタの着版に至るまでのファーストプリント時間が短縮されることになる。
【００６６】
処理手順３は、上述したように、ユーザにより両面原稿片面印刷モードの指定と後処理を行わない指定とがなされた場合に選択されるものである。この処理手順３では、図１０のフローチャートで示すように、まず、ステップＳ３−１において、読み取り制御部３２による制御のもとで原稿反転式画像読み取り装置３が動作され、両面原稿第１面の原稿画像が読み取られる。そして、ステップＳ３−２において、製版制御部３４による制御のもとで、原稿反転式画像読み取り装置３により読み取られた前記両面原稿第１面の画像データに基づき第１サーマルヘッド１３が駆動され、孔版原紙１６に、前記両面原稿第１面の画像データに対応した製版マスタが製版される。そして、製版マスタが第１印刷ドラム１１に着版される。
【００６７】
なお、このステップＳ３−２における製版処理は、ステップＳ３−１における前記両面原稿第１面の原稿画像の読み取りと同時に行われるようになっている。また、第１印刷ドラム１１に対する製版マスタの着版と並行して、第２印刷ドラム２１に対しては、ステップＳ３−３において、穿孔画像が形成されていない孔版原紙（無製版マスタ）が着版されることになる。
【００６８】
次に、ステップＳ３−４において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われ、前記印刷媒体の第１面に前記両面原稿第１面の原稿画像が印刷され、第２印刷ドラム２１には無製版マスタが着版されているのでインクが付着せず、前記印刷媒体の第２面は印刷が行われない状態で、一連の処理が終了することになる。
【００６９】
前記両面原稿第１面の印刷が終了し、第１印刷ドラム１１に着版された製版マスタが排版されると、次に、ステップＳ３−５において、読み取り制御部３２による制御のもとで、原稿反転式画像読み取り装置３による前記両面原稿の自動反転処理が行われる。次に、ステップＳ３−６において、原稿反転式画像読み取り装置３によって、前記両面原稿第２面の原稿画像が読み取られる。
【００７０】
原稿反転式画像読み取り装置３により読み取られた前記両面原稿第２面の画像データは、データ処理部３３に随時送られる。そして、ステップＳ３−７において、前記両面原稿第２面の画像データが、データ処理部３３に設けられたページメモリに一時的に格納される。
【００７１】
前記両面原稿第２面の原稿画像の読み取りが終了し、画像データが全てページメモリに格納されると、次に、ステップＳ３−８において、データ処理部３３により、前記両面原稿第２面の画像データに対する１８０度座標変換処理が行われ、製版制御部３４に送られる。そして、ステップＳ３−９において、製版制御部３４による制御のもとで、前記１８０度座標変換処理された画像データに基づき第１サーマルヘッド１３が駆動され、孔版原紙１６に、前記両面原稿第２面の原稿画像に対応した製版マスタが製版される。そして、製版マスタが第１印刷ドラム２１に着版される。
【００７２】
次に、ステップＳ３−１１において、読み取り制御部３２による制御のもとで、原稿反転式画像読み取り装置３で原稿画像の読み取りが終了した前記両面原稿が排出される。そして、ステップＳ３−１２において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われ、前記印刷媒体の第１面に前記両面原稿第２面の原稿画像が印刷され、第２印刷ドラム２１には無製版マスタが着版されているのでインクが付着せず、前記印刷媒体の第２面は印刷が行われない状態で、一連の処理が終了する。
【００７３】
以上のような処理手順３で両面原稿片面印刷を行った場合には、図１１（ａ）及び図１１（ｂ）に示すように、両面原稿第１面の原稿画像が印刷された印刷媒体と両面原稿第２面の原稿画像が印刷された印刷媒体とが、共に天側を先頭に排出されることになる。したがって、ステープル処理等の後処理を行う場合に、ユーザが印刷物の天地方向を揃える作業が不要とされ、後処理を含めたトータル処理時間の短縮を図ることが可能となる。
【００７４】
処理手順４は、上述したように、ユーザにより片面原稿両面印刷モードの指定と後処理を行わない指定とがなされた場合に選択されるものである。この処理手順４では、図１２のフローチャートで示すように、まず、ステップＳ４−１において、読み取り制御部３２による制御のもとで原稿反転式画像読み取り装置３が動作され、１枚目の片面原稿の原稿画像が読み取られる。そして、ステップＳ４−２において、製版制御部３４による制御のもとで、原稿反転式画像読み取り装置３により読み取られた１枚目の片面原稿の画像データに基づき第１サーマルヘッド１３が駆動され、孔版原紙１６に、１枚目の片面原稿の画像データに対応した製版マスタが製版される。そして、製版マスタが第１印刷ドラム１１に着版される。なお、このステップＳ４−２における製版処理は、ステップＳ４−１における原稿画像の読み取りと同時に行われる。
【００７５】
次に、ステップＳ４−３において、読み取り制御部３２による制御のもとで、原稿反転式画像読み取り装置３で原稿画像の読み取りが終了した１枚目の片面原稿が排出される。次に、ステップＳ４−４において、読み取り制御部３２による制御のもとで、原稿反転式画像読み取り装置３により２枚目の片面原稿の原稿画像が読み取られる。そして、ステップＳ４−５において、製版制御部３４による制御のもとで、原稿反転式画像読み取り装置３により読み取られた２枚目の片面原稿の画像データに基づき第２サーマルヘッド２３が駆動され、孔版原紙２６に、２枚目の片面原稿の画像データに対応した製版マスタが製版される。そして、製版マスタが第２印刷ドラム２１に着版される。なお、このステップＳ４−５における製版処理は、ステップＳ４−４における原稿画像の読み取りと同時に行われる。
【００７６】
次に、ステップＳ４−６において、読み取り制御部３２による制御のもとで、原稿反転式画像読み取り装置３で原稿画像の読み取りが終了した２枚目の片面原稿が排出される。そして、ステップＳ４−７において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われ、１枚目の片面原稿の原稿画像と２枚目の片面原稿の原稿画像とが、前記印刷媒体の第１面及び第２面にそれぞれ印刷され、一連の処理が終了する。
【００７７】
以上のような処理手順４で片面原稿両面印刷を行った場合には、図１３（ａ）及び図１３（ｂ）に示すように、印刷媒体の第１面に印刷された原稿画像の天地方向と第２面に印刷された原稿画像の天地方向とが一致すると共に、印刷済みの印刷媒体が天側を先頭に排出されることになる。したがって、ステープル処理等の後処理を行う場合に、ユーザが印刷物の天地方向を揃える作業が不要とされ、後処理を含めたトータル処理時間の短縮を図ることが可能となる。
【００７８】
処理手順５は、上述したように、ユーザにより片面原稿片面印刷モードの指定と後処理行程を行わない指定とがなされた場合に選択されるものである。この処理手順５では、図１４のフローチャートで示すように、まず、ステップＳ５−１において、読み取り制御部３２による制御のもとで原稿反転式画像読み取り装置３が動作され、１枚目の片面原稿の原稿画像が読み取られる。そして、ステップＳ５−２において、製版制御部３４による制御のもとで、原稿反転式画像読み取り装置３により読み取られた１枚目の片面原稿の画像データに基づき第１サーマルヘッド１３が駆動され、孔版原紙１６に、１枚目の片面原稿の画像データに対応した製版マスタが製版される。そして、製版マスタが第１印刷ドラム１１に着版される。
【００７９】
なお、このステップＳ５−２における製版処理は、ステップＳ５−１における原稿画像の読み取りと同時に行われるようになっている。また、第１印刷ドラム１１に対する製版マスタの着版と並行して、第２印刷ドラム２１に対しては、ステップＳ５−３において、無製版マスタが着版されることになる。
【００８０】
次に、ステップＳ５−４において、読み取り制御部３２による制御のもとで、原稿反転式画像読み取り装置３で原稿画像の読み取りが終了した１枚目の片面原稿が排出される。また、ステップＳ５−５において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われる。これにより、前記印刷媒体の第１面に１枚目の片面原稿の原稿画像が印刷され、第２印刷ドラム２１には無製版マスタが着版されているのでインクが付着せず、前記印刷媒体の第２面は印刷が行われない状態で、一連の処理が終了することになる。
【００８１】
１枚目の片面原稿の印刷が終了し、第１印刷ドラム１１に着版された製版マスタが排版されると、次に、ステップＳ５−６において、原稿反転式画像読み取り装置３により２枚目の片面原稿の原稿画像が読み取られる。そして、ステップＳ５−７において、製版制御部３４による制御のもとで、原稿反転式画像読み取り装置３により読み取られた２枚目の片面原稿の画像データに基づき第１サーマルヘッド１３が駆動され、孔版原紙１６に、２枚目の片面原稿の画像データに対応した製版マスタが製版される。そして、製版マスタが第１印刷ドラム１１に着版される。なお、このステップＳ５−７における製版処理も、ステップＳ５−６における原稿画像の読み取りと同時に行われるようになっている。
【００８２】
次に、ステップＳ５−８において、読み取り制御部３２による制御のもとで、原稿反転式画像読み取り装置３で原稿画像の読み取りが終了した２枚目の片面原稿が排出される。また、ステップＳ５−９において、印刷制御部３５により印刷媒体の給排紙制御や第１印刷ドラム１１の回転制御及び第１プレスロール１２の制御、第２印刷ドラム２１の回転制御及び第２プレスロール２２の制御等が行われる。これにより、前記印刷媒体の第１面に２枚目の片面原稿の原稿画像が印刷され、第２印刷ドラム２１には無製版マスタが着版されているのでインクが付着せず、前記印刷媒体の第２面は印刷が行われない状態で、一連の処理が終了することになる。
【００８３】
以上のような処理手順５で片面原稿片面印刷を行った場合には、図１５（ａ）及び図１５（ｂ）に示すように、１枚目の片面原稿の原稿画像が印刷された印刷媒体と２枚目の片面原稿の原稿画像が印刷された印刷媒体とが、共に天側を先頭に排出されることになる。したがって、ステープル処理等の後処理を行う場合に、ユーザが印刷物の天地方向を揃える作業が不要とされ、後処理を含めたトータル処理時間の短縮を図ることが可能となる。
【００８４】
以上説明したように、本発明を適用した両面孔版印刷機１では、ユーザによる印刷モードの指定や後処理有り無しの指定を操作パネル４から入力されて、それに応じて操作入力制御部３１が原稿画像の読み取り動作や製版処理の処理手順を制御し、この処理手順に従って、ステープル処理等の後処理が必要とされる場合には全ての印刷モードで印刷済みの印刷媒体の天地方向が同一方向で排出されるようにし、特に両面原稿両面印刷モードで後処理が必要ない場合には、ファーストプリント時間を短縮するようにしているので、あらゆる印刷形態に対応しながらトータル処理時間の短縮を実現することができる。
【００８５】
【発明の効果】
本発明に係る両面孔版印刷機によれば、ユーザによる印刷モードの指定や後処理有り無しの指定に応じて、原稿反転式画像読み取り装置による読み取り動作や第１製版・印刷部及び第２製版・印刷部における製版処理動作が制御されるようになっているので、後処理有りの指定があった場合には、全ての印刷モードで印刷済みの印刷媒体の天地方向が同一方向で排出されるようにして、排出された印刷物の天地方向を揃える作業を介在させずに、後処理を含めたトータル処理時間を短縮させることができると共に、特に、両面原稿両面印刷モードで後処理が必要ない場合には、ファーストプリント時間を短縮して、短時間での効率的な印刷を実現することができる。
【図面の簡単な説明】
【図１】本発明を適用した両面孔版印刷機の機構的な要部構成を示す模式図である。
【図２】前記両面孔版印刷機の制御系の要部構成を示すブロック図である。
【図３】前記両面孔版印刷機が備える操作パネルの一例を示す平面図である。
【図４】ユーザによる印刷モードの指定及び後処理工程の有無の指定に応じた処理手順の選択を概念的に示すフローチャートである。
【図５】両面原稿両面印刷モードの指定及び後処理有りの指定があった場合に選択される処理手順１の処理の流れを示すフローチャートである。
【図６】処理手順１が選択された場合の原稿の天地方向と両面孔版印刷機から排出される印刷媒体の天地方向との関係を説明する図であり、（ａ）は原稿反転式画像読み取り装置にセットされる両面原稿の天地方向を示し、（ｂ）は両面孔版印刷機から排出される印刷媒体の天地方向を示している。
【図７】両面原稿両面印刷モードの指定及び後処理無しの指定があった場合に選択される処理手順２の処理の流れを示すフローチャートである。
【図８】処理手順２が選択された場合の原稿の天地方向と両面孔版印刷機から排出される印刷媒体の天地方向との関係を説明する図であり、（ａ）は原稿反転式画像読み取り装置にセットされる両面原稿の天地方向を示し、（ｂ）は両面孔版印刷機から排出される印刷媒体の天地方向を示している。
【図９】処理手順１が選択された場合と処理手順２が選択された場合とでファーストプリント時間を比較するためのタイムチャートであり、（ａ）は処理手順２が選択された場合のタイムチャートを示し、（ｂ）は処理手順１が選択された場合のタイムチャートを示している。
【図１０】両面原稿片面印刷モードの指定があった場合に選択される処理手順３の処理の流れを示すフローチャートである。
【図１１】処理手順３が選択された場合の原稿の天地方向と両面孔版印刷機から排出される印刷媒体の天地方向との関係を説明する図であり、（ａ）は原稿反転式画像読み取り装置にセットされる両面原稿の天地方向を示し、（ｂ）は両面孔版印刷機から排出される印刷媒体の天地方向を示している。
【図１２】片面原稿両面印刷モードの指定があった場合に選択される処理手順４の処理の流れを示すフローチャートである。
【図１３】処理手順４が選択された場合の原稿の天地方向と両面孔版印刷機から排出される印刷媒体の天地方向との関係を説明する図であり、（ａ）は原稿反転式画像読み取り装置にセットされる片面原稿の天地方向を示し、（ｂ）は両面孔版印刷機から排出される印刷媒体の天地方向を示している。
【図１４】片面原稿片面印刷モードの指定があった場合に選択される処理手順５の処理の流れを示すフローチャートである。
【図１５】処理手順５が選択された場合の原稿の天地方向と両面孔版印刷機から排出される印刷媒体の天地方向との関係を説明する図であり、（ａ）は原稿反転式画像読み取り装置にセットされる片面原稿の天地方向を示し、（ｂ）は両面孔版印刷機から排出される印刷媒体の天地方向を示している。
【図１６】原稿反転式画像読み取り装置による原稿の読み取り動作を説明する模式図である。
【符号の説明】
１  両面孔版印刷機
３  原稿反転式画像読み取り装置
４  操作パネル
１０  第１製版・印刷部
１１  第１印刷ドラム
１３  第１サーマルヘッド
２０  第２製版・印刷部
２１  第２印刷ドラム
２３  第２サーマルヘッド
３０  制御装置
３１  操作入力制御部
３２  読み取り制御部
３３  データ処理部
３４  製版制御部
３５  印刷制御部
【図１】
0003892314.tif 000002
【図２】
0003892314.tif 000003
【図３】
0003892314.tif 000004
【図４】
0003892314.tif 000005
【図５】
0003892314.tif 000006
【図６】
0003892314.tif 000007
【図７】
0003892314.tif 000008
【図８】
0003892314.tif 000009
【図９】
0003892314.tif 000010
【図１０】
0003892314.tif 000011
【図１１】
0003892314.tif 000012
【図１２】
0003892314.tif 000013
【図１３】
0003892314.tif 000014
【図１４】
0003892314.tif 000015
【図１５】
0003892314.tif 000016
【図１６】
0003892314.tif 000017